(57)【要約】  【課題】  複数のキーに対して所望の機能を割り当てることができ、また、割り当てのための操作を簡単で、分かりやすいものとする。  【解決手段】  ＳＴ２において、メニュー項目の中からアサインキー変更の項目が選択され、ＳＴ３では、選択した機能を割り当てたいアサインキーが選択される。この場合、各アサインキーに現在割り当てられている機能が表示される。ＳＴ４において、リスト状に表示される機能から割り当てたい機能が選択される。ＳＴ５において、選ばれたアサインキーに選択した機能を割り当てる。ＳＴ４では、変更対象以外のアサインキーに現在割り当てられている機能が表示される。ＳＴ５では、アサインキーに対して割り当てられている最新の機能の情報が表示される。【選択図】  図５
2005266991.tif 000002
【特許請求の範囲】
【請求項１】
表示パネルと所望の機能を割り当てることができる複数のキーとを有する電子機器において、
上記表示パネル上に上記複数のキーに割り当てられた現在の機能と、割り当て可能な複数の機能とを表示し、
上記複数のキーの１以上のキーに対して上記割り当て可能な複数の機能から選択した機能を割り当てるようにした電子機器。
【請求項２】
請求項１において、
上記複数のキーに対する機能の割り当て情報を不揮発性メモリに保存する電子機器。
【請求項３】
請求項１において、
上記割り当て可能な複数の機能の中に、何も実行しない機能が含まれる電子機器。
【請求項４】
請求項１において、
上記割り当て可能な複数の機能を表示する場合に、表示領域を越えて上記機能が存在することを表すスクロールバーを表示する電子機器。
【請求項５】
請求項１において、
上記割り当て可能な複数の機能中で同じ機能を上記複数のキーの２以上に割り当て可能とした電子機器。
【請求項６】
請求項１において、
上記複数のキーに対する割り当ての履歴を表示する電子機器。
【請求項７】
複数のキーに対して所望の機能を割り当てる割り当て方法において、
複数のキーと上記複数のキーに割り当てられた現在の機能の表示を参照して、上記複数のキーの中から機能を割り当てたいキーを選択するキー選択ステップと、
割り当て可能な複数の機能の表示を参照して、割り当て可能な複数の機能から所望の機能を割り当てる機能選択ステップとからなる割り当て方法。
【請求項８】
請求項７において、
上記機能選択ステップにおいて、上記複数のキーに割り当てられた現在の機能を表示する割り当て方法。
【請求項９】
請求項７において、
上記機能割り当ての情報を不揮発性メモリに記憶しておく割り当て方法。
【請求項１０】
請求項７において、
上記割り当て可能な複数の機能中に、何も実行しない機能が含まれる割り当て方法。
【請求項１１】
請求項７において、
上記割り当て可能な複数の機能を表示する場合に、表示領域を越えて上記機能が存在することを表すスクロールバーを表示する割り当て方法。
【請求項１２】
請求項７において、
上記割り当て可能な複数の機能の中で同じ機能を上記複数のキーの２以上に割り当て可能とした割り当て方法。
【請求項１３】
請求項７において、
上記複数のキーに対する割り当ての履歴を表示する割り当て方法。
【発明の詳細な説明】
【技術分野】
【０００１】
この発明は、カムコーダ、ディジタルカメラ、携帯電話、ＰＤＡ等の表示パネルと操作部とを備える電子機器およびキーに対する機能割り当て方法に関する。
【背景技術】
【０００２】
電子機器例えばカムコーダ（comcoder(camera and recorder)を略した一般的に名称、
ビデオカメラ＋レコーダ）の小型化が進み、本体に取り付けられるハードキー（以下、単にキーと称する）の数が減少する傾向がある。その結果、キーに割り当てられない機能は、メニューから操作することになり、即時性を欠いたり、機能が実際に目に触れることが少なくなり、操作が面倒となるおそれがあった。
【０００３】
逆に多数のキーを設けることができたとしても、カムコーダの用途は、ユーザによって異なるので、キーに予め割り当てられた機能が全てのユーザにとって必ずしもキーによって提供してほしい機能とは限らない。
【０００４】
テレビジョン受像機を操作する遠隔操作装置のコマンダのキーに関して、１つのキーへユーザが所望する機能を１つしか割り当てることができなかったのを、複数の機能であって、操作する度に機能がシーケンシャルに割り当てられるようにした技術が下記の特許文献１に記載されている。
【０００５】
【特許文献１】特開２００２−１０３８０号公報
【発明の開示】
【発明が解決しようとする課題】
【０００６】
特許文献１に記載のように、シーケンシャルに提供される複数の機能を１つのキーに割り当てる方法は、キー数の減少が可能であっても、割り当てることが可能な機能が限定されたり、ユーザが設定内容を記憶することが大変で、操作性が改善されるとは、言い難いものであった。また、複数のキーに対して機能を割り当てるものではなく、機能割り当て方法が操作性が良好ではなかった。
【０００７】
したがって、この発明の目的は、画面表示をみながらユーザが機能を任意に割り当てることができる複数のキーを設け、個数に限りがあるキーを有効に利用し、ユーザの所望の機能を割り当てることができる電子機器および機能割り当て方法を提供することにある。
【課題を解決するための手段】
【０００８】
上述した課題を解決するために、この発明は、表示パネルと所望の機能を割り当てることができる複数のキーとを有する電子機器において、
表示パネル上に複数のキーに割り当てられた現在の機能と、割り当て可能な複数の機能とを表示し、
複数のキーの１以上のキーに対して割り当て可能な複数の機能から選択した機能を割り当てるようにした電子機器である。
【０００９】
この発明は、複数のキーに対して所望の機能を割り当てる割り当て方法において、
複数のキーと複数のキーに割り当てられた現在の機能の表示を参照して、複数のキーの中から機能を割り当てたいキーを選択するキー選択ステップと、
割り当て可能な複数の機能の表示を参照して、割り当て可能な複数の機能から所望の機能を割り当てる機能選択ステップとからなる割り当て方法である。
【発明の効果】
【００１０】
この発明では、複数のキーに対して任意の機能を割り当てる構成であるので、１つのキーに対して機能を割り当てる構成と異なり、より多くの所望の機能の割り当てが可能となる。例えば制御量の増減のように、対の機能を割り当てることが可能となる。複数のキーに対して機能を割り当てる場合に、現在の割り当て状態を表示するので、複数のキーに対する機能の割り当て操作を容易に行うことができる。
【発明を実施するための最良の形態】
【００１１】
以下、この発明の一実施形態について図面を参照しながら説明する。図１は、この発明を適用できるカムコーダの外観の構成を示す。参照符号１がレンズ収納部を示し、レンズを介してＣＣＤ等の撮像素子に対して被写体光が入射する。参照符号２がズームリングである。参照符号３がステレオマイクロホン、参照符号４が電子ビューファインダである。
【００１２】
参照符号５が例えば２．５型の液晶モニタである。液晶モニタ５は、本体側面の収納凹部６に収納自在とされている。図１では、省略されている本体の反対側面には、例えばＤＶ(Digital Video)規格のテープカセット収納部が設けられている。カメラ部で撮影され
た被写体の映像信号が信号処理されて、回転ヘッドによってテープカセットの磁気テープに記録される。
【００１３】
図１に示すカムコーダには、複数の操作キーが設けられている。この発明と関連するものは、アサインキー７とメニューボタン８と選択／押し決定ダイヤル９である。アサインキー７は、図２に示すように、複数例えば３個のアサインキー（各アサインキーをアサインキー１，２，３と適宜呼ぶことにする）から構成されている。アサインキー７は、操作し易い位置例えばズームリング２の近傍で、且つ他の操作キーとは、分離、独立して設けられている。後述するように、アサインキー７の各キーには、ユーザが所望の機能を割り当てることが可能とされている。アサインキー７等のキーは、押しボタン式のキー、スライド式のキー、感圧スイッチ等のハードキーに限らず、液晶パネル５に重ねられ、指先等で押されるタッチパネルの構成も使用することができる。
【００１４】
図３は、カムコーダの信号処理構成の概略を示す。図３において、実線がビデオ・オーディオ信号の経路、ストリームの経路およびコントローラを構成するＣＰＵ(Central Processing Unit)バスを示し、点線がＣＰＵのコントロール信号の経路を示す。レンズ１１
を介してＣＣＤ（Charge Coupled Device)等の素子からなるイメージャ１２に対して被写体光が入射される。イメージャ１２の出力信号がカメラ信号処理部１３に供給され、色分離、ディジタル化処理等種々のカメラ信号処理がなされる。
【００１５】
カメラ信号処理部１３からのレンズ取り込み映像信号がベースバンド処理部１４に供給される。ベースバンド処理部１４には、ＯＳＤ(On Screen Display)部１５からのメニュ
ー表示等の表示信号が供給される。ＯＳＤ部１５は、メニュー表示、各種設定等の表示信号をＣＰＵで構成されたコントローラ１６からの命令により作成する。ＯＳＤ部１５からの表示信号がベースバンド信号処理部１４において、レンズ取り込み映像信号に合成される。
【００１６】
コントローラ１６に対してＣＰＵバスを介して不揮発性メモリ例えばＥＥＰＲＯＭ(Electrical Erasable Programmable ＲＯＭ）が接続されている。図示を省略しているが、不揮発性メモリとしてリムーバブルなメモリカードを使用することができる。コントローラ１６のＣＰＵバスは、ベースバンド信号処理部１４に接続されている。
【００１７】
ベースバンド処理部１４からの映像信号が圧縮エンコーダ１８においてＤＣＴ(Discrete Cosine Transform)等を使用して圧縮され、マルチプレクサ１９に供給される。マルチ
プレクサ１９において、圧縮符号化されたオーディオデータ、システムデータ等が多重化され、記録データが生成される。記録データが記録処理部２０に供給される。
【００１８】
記録処理部２０では、誤り訂正エンコーダ、チャンネルコーディング等の処理がなされる。記録処理部２０からの記録信号（記録ストリームデータ）がテープ・ヘッド部２１の回転ヘッドに供給され、回転ヘッドによって磁気テープ上に記録信号が斜めのトラックとして記録される。
【００１９】
テープ・ヘッド部２１の回転ヘッドによって磁気テープから再生された再生信号（再生ストリームデータ）が再生処理部２２に供給される。再生処理部２２では、チャンネルコーディングの復号、誤り訂正等の処理がなされる。
【００２０】
再生処理部２２からの再生データがデマルチプレクサ２３に供給され、映像データ、オーディオデータ、システムデータが分離される。映像データが伸張デコーダ２４にて圧縮符号化が復号される。伸張デコーダ２４からの映像信号がベースバンド信号処理部１４に供給される。
【００２１】
ベースバンド信号処理部１４に対して、電子ビューファインダ４および液晶パネル５が接続されている。これらの表示装置には、レンズ取り込み画像、テープの再生画像、種々のメニュー等が表示される。さらに、コントローラ１６とキーデバイス２５とが結合されている。キーデバイス２５には、アサインキー７、メニューボタン８、選択／押し決定ダイヤル９等のキーが含まれている。選択／押し決定ダイヤル９は、ダイヤルを回転させることで、液晶パネル５の画面上で選択項目を変更でき、ダイヤルを押すことで、選択を決定する入力装置である。
【００２２】
図４は、コントローラ１６のアサインキー７に対する機能の割り当てに関連する部分の処理に対応するブロック図である。キーデバイス２５のアサインキー７で発生したキー信号がコントローラ１６のＡ／Ｄコンバータ３１によってディジタル信号へ変換され、キー入力検出部３２に供給される。キー入力検出部３２の検出信号がコマンド変換部３３に入力される。
【００２３】
ＥＥＰＲＯＭ１７から読み出されたアサインキー割り当て情報３４がコマンド変換部３３に対して供給される。コマンド変換部３３では、検出されたアサインキー入力に対応するコマンドをアサインキー割り当て情報３４に基づいて生成する。生成されたコマンドが周辺の被制御部３５を制御する。アサインキー割り当て情報３４が液晶パネル５に入力され、表示される。
【００２４】
図５のフローチャートおよび図６の液晶パネル５の表示画面を参照してコントローラ１６によりなされるアサインキーに対する機能割り当てまたは機能変更処理について説明する。ステップＳＴ１において、メニューボタン８が押される。液晶パネル５にメニューが表示される。メニューの画面では、複数のメニュー項目が表示される。
【００２５】
ステップＳＴ２において、メニュー項目の中からアサインキー変更の項目を選択する。アサインキー７は、３個のアサインキーを有するので、キー選択ステップＳＴ３では、選択した機能を割り当てたいアサインキーが選択される。
【００２６】
図６Ａは、ステップＳＴ３で液晶パネル５に表示される画面である。図示を省略するが、メニュー等の画面を表示する場合に、現在撮影中の画像表示に対してメニュー等を重畳した画面が表示される。３個のアサインキーの表示４１の中の何れかを選択／押し決定ダイヤル９を回転させることで選択し、選択をダイヤルを押すことで決定する。選択されているキー例えばアサインキー２がハイライト表示される。この画面では、各アサインキーに現在割り当てられている機能Ｃ，Ｆ，Ｇの情報４２が表示される。ユーザは、この画面を参照して機能を割り当てたい、または機能を変更したいアサインキーを選択する。なお、「戻り」は、現在の処理を終了する時に選択されるアイコンである。
【００２７】
機能選択ステップＳＴ４において、選択／押し決定ダイヤル９を回転させることでリスト状に表示される機能から割り当てたい機能が選択される。ステップＳＴ５において、選択／押し決定ダイヤル９を押すことで選ばれたアサインキーに選択した機能を割り当てる。アサインキーに割り当てることが可能な機能は、メニューボタン８および選択／押し決定ダイヤル９を操作して設定できる機能と重複している場合のみならず、アサインキーのみに割り当てることができるものであっても良い。メニューボタン８および選択／押し決定ダイヤル９を操作して設定できる機能の一つをアサインキーに割り当てた場合では、このアサインキーがショートカットキーの機能を持つことになる。
【００２８】
図６Ｂは、キー選択ステップＳＴ３において対象のアサインキー２が決定された後に、機能選択ステップＳＴ４で液晶パネル５に表示される画面である。画面には、リスト状に選択可能な機能４３が表示される。図の例は、機能Ｂが選択されている状態を示している。この画面において、変更対象以外のアサインキー１，３に現在割り当てられている機能Ｃ，Ｆ，Ｇの情報４４が表示される。また、割り当て可能な機能のリストが表示領域を越えて存在することを示すために、スクロールバー４５が表示される。ユーザは、スクロールバー４５によって表示されている機能以外にも割り当て可能な機能が存在することを容易に知ることができる。
【００２９】
図６Ｃは、選ばれたアサインキーに選択した機能を割り当てるステップＳＴ５で液晶パネル５に表示される画面である。リスト状に選択可能な機能４３の中で、機能Ｂが選択された場合、各アサインキーに対して割り当てられている機能の情報４５も、最新のものに更新されている。
【００３０】
ステップＳＴ６では、最新のアサインキー情報が不揮発性メモリ（ＥＥＰＲＯＭ１７）に記憶される。そして、ステップＳＴ７において、続けて他のアサインキーに対する機能の割り当て処理を行うか否かが判定される。割り当て処理を続行する場合では、処理がキー選択ステップＳＴ３（機能を割り当てるアサインキーの選択）に戻る。割り当て処理を終了するのであれば、メニューボタン８が押され、メニューが閉じられる（ステップＳＴ８）。
【００３１】
上述したように、アサインキー２に対して機能Ｂが割り当てられた場合では、カムコーダが録画一時停止（記録スタンバイ）の状態で、アサインキー２が押されると、液晶パネル５に瞬時に機能Ｂに対応する設定画面が表示される。例えば機能Ｂが「てぶれ補正」の場合では、てぶれ補正の「入／切」の一方を選択するための設定画面が表示される。したがって、メニュー画面を開いて、メニューを選択し、機能を選択して設定画面を表示する一連の操作が１回のアサインキーの操作で済むことになり、操作性を向上できる。
【００３２】
割り当て可能な機能として、実行機能を持たない機能（ブランクと適宜称する）を用意することが好ましい。ブランクを選択可能とすることによって、アサインキーの機能を必要としないユーザに対応でき、また、誤ってアサインキーを押すことによる誤操作を回避することができる。また、同一の機能を複数のアサインキーに対して割り当てることが可能とされている。
【００３３】
さらに、不揮発性メモリに対してアサインキーに対して割り当てた機能の履歴情報を記憶し、例えば図７に示すように、履歴情報を液晶パネルに表示するようにしても良い。図７では、機能の配列の順序が割り当てがなされた日時にしたがって、昇順または降順に表示される。したがって、ユーザは、履歴情報を見て、現在の割り当てられている機能と、以前に割り当てた機能とを容易に知ることができ、必要であれば、割り当てを以前の状態に戻すことができる。
【００３４】
以上、この発明の一実施形態について具体的に説明したが、この発明は、上述の一実施形態に限定されるものではなく、この発明の技術的思想に基づく各種の変形が可能である。例えば処理の順序において、キー選択のステップと、機能割り当てのステップとの何れを先に行うようにしても良い。この発明は、カムコーダ以外の表示パネルを持ち、メニュー表示が可能な電子機器に対して広く適用可能である。
【図面の簡単な説明】
【００３５】
【図１】この発明の一実施形態のカムコーダの外観を示す斜視図である。
【図２】アサインキーの一例を示す略線図である。
【図３】カムコーダの信号処理の構成を概略的に示すブロック図である。
【図４】アサインキーの割り当て処理を行うコントローラの説明に用いるブロック図である。
【図５】アサインキーの割り当て変更処理の流れを示すフローチャートである。
【図６】アサインキーの割り当て変更処理時の液晶パネルの表示を示す略線図である。
【図７】アサインキー割り当ての履歴の表示画面の一例を示す略線図である。
【符号の説明】
【００３６】
５  液晶パネル
７  アサインキー
８  メニューボタン
９  選択／押し決定ダイヤル
１２  イメージャ
１５  ＯＳＤ部
１６  コントローラ
１７  ＥＥＰＲＯＭ
【図１】
2005266991.tif 000003
【図２】
2005266991.tif 000004
【図３】
2005266991.tif 000005
【図４】
2005266991.tif 000006
【図５】
2005266991.tif 000007
【図６】
2005266991.tif 000008
【図７】
2005266991.tif 000009